(57)【要約】【課題】受信した画像データのプリント処理を実行する際にプリンタエラーが発生した場合に、プリンタエラーが直ぐに復旧しない状態でも、ユーザが他の装置で画像データの内容を容易に確認することを可能とする画像形成装置を提供すること。【解決手段】本発明の画像形成装置は、受信処理により受信された画像データに対してプリント処理を正常に行うことができるか否かを判定する判定部７ｂと、プリント処理を正常に行うことができないと判定部７ｂによって判定された場合に、受信処理により受信された画像データを予め設定された所定のファイル形式に変換する画像変換部７ｄと、画像変換部７ｄにより所定のファイル形式に変換された画像データを第１の記憶領域９ａに格納する処理を行う格納処理部７ｆとを備える。【選択図】図２
2007208475.tif 000002
【特許請求の範囲】
【請求項１】
ファクシミリ受信処理及びインターネットファクシミリ受信処理の少なくとも一方の受信処理と、プリント処理とを実行可能に構成された画像形成装置であって、
前記受信処理により受信された画像データに対してプリント処理を正常に行うことができるか否かを判定する判定手段と、
プリント処理を正常に行うことができないと前記判定手段によって判定された場合に、前記受信処理により受信された画像データを予め設定された所定のファイル形式に変換する画像変換手段と、
前記画像変換手段により前記所定のファイル形式に変換された画像データを第１の記憶領域に格納する処理を行う格納処理手段とを備えることを特徴とする画像形成装置。
【請求項２】
記録媒体を着脱自在に構成され、前記記録媒体にデータを書き込み可能に構成された書込手段と、
前記書込手段に前記記録媒体が装着されているか否かを判断する接続判断手段とを備え、
前記格納処理手段は、前記書込手段に前記記録媒体が装着されていると前記接続判断手段によって判断された場合に、前記所定のファイル形式に変換された画像データを前記書込手段により前記記録媒体に格納する処理を行うことを特徴とする請求項１に記載の画像形成装置。
【請求項３】
記録媒体を着脱自在に構成され、前記記録媒体にデータを書き込み可能に構成された書込手段と、
前記書込手段に前記記録媒体が装着されているか否かを判断する接続判断手段と、
外部からの操作入力を受け付け、受け付けた操作入力に基づいて、前記所定のファイル形式に変換された画像データの格納先を設定する設定手段とを備え、
前記格納処理手段は、前記書込手段に前記記録媒体が装着されていると前記接続判断手段によって判断された場合に、前記設定手段による設定に基づいて、前記所定のファイル形式に変換された画像データを前記第１の記憶領域に格納する処理、又は、前記所定のファイル形式に変換された画像データを前記書込手段により前記記録媒体に格納する処理を行うことを特徴とする請求項１に記載の画像形成装置。
【請求項４】
前記記録媒体は、ＵＳＢメモリであることを特徴とする請求項２又は３に記載の画像形成装置。
【請求項５】
前記格納処理手段は、プリント処理を正常に行うことができると前記判定手段によって判定された場合に、前記受信処理により受信された画像データを第２の記憶領域に格納することを特徴とする請求項１〜４のいずれかに記載の画像形成装置。
【請求項６】
前記判定手段は、前記受信処理により受信された画像データに対するプリント処理の開始から終了までの間、所定時間毎に、プリント処理を正常に行うことができるか否かを判定することを特徴とする請求項１〜５のいずれかに記載の画像形成装置。
【請求項７】
前記受信処理により受信された画像データは、複数のページからなる画像データであって、
前記画像変換手段は、前記受信された画像データに対するプリント処理が開始された後に、プリント処理を正常に行うことができないと前記判定手段によって判定された場合に、プリント処理を正常に行うことができないと前記判定手段によって判定された時点でプリント処理中のページ以降の画像データを前記所定のファイル形式に変換することを特徴とする請求項６に記載の画像形成装置。
【請求項８】
クライアント端末装置と通信可能に接続され、前記クライアント端末装置へデータを転送可能に構成された転送手段を備え、
前記格納処理手段は、所定のタイミングで、前記所定のファイル形式に変換された画像データを前記転送手段により前記クライアント端末装置に格納する処理を行うことを特徴とする請求項１〜７のいずれかに記載の画像形成装置。
【請求項９】
前記所定のファイル形式は、特定のアプリケーションソフトウェアを必要とせず、オペレーティングシステムにより処理可能なファイルの形式であることを特徴とする請求項１〜８のいずれかに記載の画像形成装置。
【請求項１０】
前記画像変換手段は、プリント処理を正常に行うことができないと前記判定手段によって判定され、且つ、そのプリント処理を正常に行うことができない状態が所定のプリンタエラーに該当する場合に、変換することを特徴とする請求項１〜９のいずれかに記載の画像形成装置。
【発明の詳細な説明】
【技術分野】
【０００１】
本発明は、ファクシミリ受信処理及びインターネットファクシミリ受信処理の少なくとも一方の受信処理と、プリント処理とを実行可能に構成された画像形成装置に関するものであり、より詳しくは、ファクシミリ受信処理及びプリント処理、又は、インターネットファクシミリ受信処理及びプリント処理を実行可能に構成された画像形成装置に関するものである。
【背景技術】
【０００２】
画像データを受信して、受信した画像データのプリント処理を実行する際に、プリント処理におけるプリンタエラー（ここでは、フィニッシャーでの後処理での失敗も含む）が生じても再度プリント処理からのやり直しを行えるように、受信した画像データを所定期間（例えば、フィニッシャーの出口に設けられた排紙センサにより、受信した画像データが記録された記録紙の通過が確認されるまでの間）メモリに保持しておくように構成された画像形成装置（ここでは、ファクシミリ装置）が考案されている（例えば、特許文献１参照）。
【特許文献１】特開２００２−０６４６７４号公報
【発明の開示】
【発明が解決しようとする課題】
【０００３】
上記した特許文献１に記載されているような従来の画像形成装置では、受信した画像データのプリント処理を確実に完了できるものの、メモリに保持されている画像データは、例えばＭＭＲ方式等で符号化された画像データであるため、例えば、ＰＣ（パーソナルコンピュータ）へ転送して、ＰＣのモニタに画像データの画像を表示させることも容易ではない。そのため、ユーザは、画像形成装置がプリンタエラーから復旧するまでの間、受信された画像データの内容を確認することができないという問題があった。
【０００４】
特に、プリンタエラーが、ユーザが比較的容易に対処することができる記録紙のジャム等ではなく、ユーザが容易に対処することができず画像形成装置のメーカ等への連絡が必要となるような致命的なエラーである場合、画像形成装置がプリンタエラーから復旧するまでには相当の時間がかかるため、ユーザにとって大変不便である。
【０００５】
本発明は、かかる課題に鑑みてなされたものであり、受信した画像データのプリント処理を実行する際にプリンタエラーが発生した場合に、プリンタエラーが直ぐに復旧しない状態でも、ユーザが他の装置で画像データの内容を容易に確認することを可能とする画像形成装置を提供することを目的とする。
【課題を解決するための手段】
【０００６】
上記目的を達成するために、請求項１記載の画像形成装置は、ファクシミリ受信処理及びインターネットファクシミリ受信処理の少なくとも一方の受信処理と、プリント処理とを実行可能に構成された画像形成装置であって、前記受信処理により受信された画像データに対してプリント処理を正常に行うことができるか否かを判定する判定手段と、プリント処理を正常に行うことができないと前記判定手段によって判定された場合に、前記受信処理により受信された画像データを予め設定された所定のファイル形式に変換する画像変換手段と、前記画像変換手段により前記所定のファイル形式に変換された画像データを第１の記憶領域に格納する処理を行う格納処理手段とを備えることを特徴としている。
【０００７】
上記構成によれば、受信処理により受信された画像データに対してプリント処理を正常に行うことができるか否かが判定手段によって判定され、プリント処理を正常に行うことができないと判定手段によって判定された場合に、画像変換手段により、受信処理により受信された画像データが予め設定された所定のファイル形式に変換される。そして、格納処理手段により、画像変換手段によって所定のファイル形式に変換された画像データが第１の記憶領域に格納される。
【０００８】
したがって、所定のファイル形式を、他の装置で容易に処理可能なファイルの形式に設定しておくことにより、ユーザは、受信した画像データのプリント処理を実行する際にプリンタエラーが発生した場合に、第１の記憶領域に格納されている所定のファイル形式の画像データを、例えば、ＵＳＢメモリ等の記録媒体を用いて、或いは、ＬＡＮ等を介して情報処理装置（例えば、ＰＣ：パーソナルコンピュータ）へ転送し、所定のファイル形式の画像データを情報処理装置のモニタに表示させることにより、プリンタエラーが直ぐに復旧しない状態でも、情報処理装置で画像データの内容を容易に確認することが可能となる。
【０００９】
請求項２記載の画像形成装置は、請求項１に記載の画像形成装置において、記録媒体を着脱自在に構成され、前記記録媒体にデータを書き込み可能に構成された書込手段と、前記書込手段に前記記録媒体が装着されているか否かを判断する接続判断手段とを備え、前記格納処理手段は、前記書込手段に前記記録媒体が装着されていると前記接続判断手段によって判断された場合に、前記所定のファイル形式に変換された画像データを前記書込手段により前記記録媒体に格納する処理を行うことを特徴としている。
【００１０】
上記構成によれば、接続判断手段により、書込手段に記録媒体が装着されているか否かが判断され、書込手段に記録媒体が装着されていると接続判断手段によって判断された場合に、格納処理手段により、所定のファイル形式に変換された画像データが書込手段を介して記録媒体に格納される。
【００１１】
したがって、受信した画像データのプリント処理を実行する際にプリンタエラーが発生した場合に、所定のファイル形式の画像データが格納された記録媒体を情報処理装置（例えば、ＰＣ）に装着して所定のファイル形式の画像データを情報処理装置のモニタに表示させることにより、プリンタエラーが直ぐに復旧しない状態でも、ユーザが情報処理装置で画像データの内容を容易に確認することが可能となる。
【００１２】
請求項３記載の画像形成装置は、請求項１に記載の画像形成装置において、記録媒体を着脱自在に構成され、前記記録媒体にデータを書き込み可能に構成された書込手段と、前記書込手段に前記記録媒体が装着されているか否かを判断する接続判断手段と、外部からの操作入力を受け付け、受け付けた操作入力に基づいて、前記所定のファイル形式に変換された画像データの格納先を設定する設定手段とを備え、前記格納処理手段は、前記書込手段に前記記録媒体が装着されていると前記接続判断手段によって判断された場合に、前記設定手段による設定に基づいて、前記所定のファイル形式に変換された画像データを前記第１の記憶領域に格納する処理、又は、前記所定のファイル形式に変換された画像データを前記書込手段により前記記録媒体に格納する処理を行うことを特徴としている。
【００１３】
上記構成によれば、設定手段により、外部からの操作入力が受け付けられ、受け付けられた操作入力に基づいて、所定のファイル形式に変換された画像データの格納先が設定される。そして、接続判断手段により、書込手段に記録媒体が装着されているか否かが判断され、書込手段に記録媒体が装着されていると接続判断手段によって判断された場合に、格納処理手段により、設定手段による設定に基づいて、所定のファイル形式に変換された画像データを第１の記憶領域に格納する処理、又は、所定のファイル形式に変換された画像データを書込手段を介して記録媒体に格納する処理が行われる。
【００１４】
したがって、ユーザは、所定のファイル形式の画像データの格納先として第１の記憶領域を選択した場合には、第１の記憶領域に格納されている所定のファイル形式の画像データを、例えばＬＡＮ等のネットワークを介して情報処理装置（例えば、ＰＣ）へ転送して情報処理装置のモニタに表示させることにより、画像データの内容を容易に確認することが可能となる。また、ユーザは、所定のファイル形式の画像データの格納先として記録媒体を選択した場合には、所定のファイル形式の画像データが格納された記録媒体を情報処理装置（例えば、ＰＣ）に装着して所定のファイル形式の画像データを情報処理装置のモニタに表示させることにより、画像データの内容を容易に確認することが可能となる。
【００１５】
請求項４記載の画像形成装置は、請求項２又は３に記載の画像形成装置において、前記記録媒体は、ＵＳＢメモリであることを特徴としている。
【００１６】
上記構成によれば、記録媒体がＵＳＢメモリであるため、ユーザは、所定のファイル形式に変換された画像データを画像形成装置から容易に取り出すことが可能となる。
【００１７】
請求項５記載の画像形成装置は、請求項１〜４のいずれかに記載の画像形成装置において、前記格納処理手段は、プリント処理を正常に行うことができると前記判定手段によって判定された場合に、前記受信処理により受信された画像データを第２の記憶領域に格納することを特徴としている。
【００１８】
上記構成によれば、受信処理により受信された画像データに対してプリント処理を実行する際に、判定手段により、受信された画像データに対するプリント処理を正常に行うことができるか否かが判定され、プリント処理を正常に行うことができると判定手段によって判定された場合に、格納処理手段により、受信処理で受信された画像データが第２の記憶領域に格納される。
【００１９】
したがって、プリント処理を正常に行うことができると判定された場合には、受信処理で受信された画像データが所定のファイル形式に変換されることなく第２の記憶領域に格納されるため、所定のファイル形式に変換された画像データを変換前の画像データに逆変換してプリント処理を行うといった無駄な処理が行われることがなく、プリント処理を迅速に行うことが可能となる。
【００２０】
請求項６記載の画像形成装置は、請求項１〜５のいずれかに記載の画像形成装置において、前記判定手段は、前記受信処理により受信された画像データに対するプリント処理の開始から終了までの間、所定時間毎に、プリント処理を正常に行うことができるか否かを判定することを特徴としている。
【００２１】
上記構成によれば、受信処理で受信された画像データに対するプリント処理の開始から終了までの間、判定手段により、所定時間毎に、プリント処理を正常に行うことができるか否かが判定されるため、プリンタエラーが発生した場合に、発生したプリンタエラーを迅速に検出することが可能となる。
【００２２】
請求項７記載の画像形成装置は、請求項６に記載の画像形成装置において、前記受信処理により受信された画像データは、複数のページからなる画像データであって、前記画像変換手段は、前記受信された画像データに対するプリント処理が開始された後に、プリント処理を正常に行うことができないと前記判定手段によって判定された場合に、プリント処理を正常に行うことができないと前記判定手段によって判定された時点でプリント処理中のページ以降の画像データを前記所定のファイル形式に変換することを特徴としている。
【００２３】
上記構成によれば、受信された画像データに対するプリント処理が開始された後に、プリント処理を正常に行うことができないと判定手段によって判定された場合に、画像変換手段により、プリント処理を正常に行うことができないと判定手段によって判定された時点でプリント処理中のページ以降の画像データが所定のファイル形式に変換される。
【００２４】
したがって、受信処理により受信された複数のページからなる画像データのうち、プリント処理を正常に行うことができないページの画像データのみが所定のファイル形式に変換されるため、プリント処理により出力された記録紙から内容を確認できるページの画像データが所定のファイル形式に変換されるといった不要な処理が行われるのを防止することが可能となる。
【００２５】
請求項８記載の画像形成装置は、請求項１〜７のいずれかに記載の画像形成装置において、クライアント端末装置と通信可能に接続され、前記クライアント端末装置へデータを転送可能に構成された転送手段を備え、前記格納処理手段は、所定のタイミングで、前記所定のファイル形式に変換された画像データを前記転送手段により前記クライアント端末装置に格納する処理を行うことを特徴としている。
【００２６】
上記構成によれば、格納処理手段により、所定のファイル形式に変換された画像データが、転送手段を介して所定のタイミングでクライアント端末装置に格納されるため、プリンタエラーが発生した場合に、プリンタエラーが直ぐに復旧しない状態でも、ユーザは、画像形成装置と通信可能に接続されたクライアント端末装置で画像データの内容を容易に確認することが可能となる。
【００２７】
請求項９記載の画像形成装置は、請求項１〜８のいずれかに記載の画像形成装置において、前記所定のファイル形式は、特定のアプリケーションソフトウェアを必要とせず、オペレーティングシステムにより処理可能なファイルの形式であることを特徴としている。
【００２８】
上記構成によれば、画像変換手段により、受信処理で受信された画像データが、特定のアプリケーションソフトウェアを必要とせず、オペレーティングシステムにより処理可能なファイルの形式に変換されるため、ユーザは、オペレーティングシステムがインストールされた任意の情報処理装置で画像データの内容を確認することが可能となる。
【００２９】
請求項１０記載の画像形成装置は、請求項１〜９のいずれかに記載の画像形成装置において、前記画像変換手段は、プリント処理を正常に行うことができないと前記判定手段によって判定され、且つ、そのプリント処理を正常に行うことができない状態が所定のプリンタエラーに該当する場合に、変換することを特徴としている。
【００３０】
上記構成によれば、受信処理により受信された画像データに対してプリント処理を正常に行うことができるか否かが判定手段によって判定され、プリント処理を正常に行うことができないと判定手段によって判定され、且つ、そのプリント処理を正常に行うことができない状態が所定のプリンタエラーに該当する場合に、画像変換手段により、画像データが所定のファイル形式に変換される。
【００３１】
したがって、所定のプリンタエラー（例えば、記録紙全体が黒くプリントされる、トナー切れ、プリンタエンジン部分のハード的な故障等、ユーザが容易に対処できない致命的なプリンタエラー）が発生した場合に、ユーザが他の装置で画像データの内容を容易に確認することが可能となる。また、所定のプリンタエラー以外のプリンタエラー（例えば、記録紙のジャム等のユーザが比較的容易に対処できるプリンタエラー）が発生した場合には、画像データは所定のファイル形式に変換されないため、ユーザは、発生したプリンタエラーに対応するトラブル解除操作を行った後に出力された記録紙から画像データの内容を確認することが可能となる。すなわち、プリンタエラーの内容に応じて、他の装置を使って画像データの内容を確認するのか、又はトラブル解除操作を行って記録紙から画像データの内容を確認するのかを切り替えることが可能となる。
【発明の効果】
【００３２】
請求項１に記載の画像形成装置によれば、所定のファイル形式を、他の装置で容易に処理可能なファイルの形式に設定しておくことにより、ユーザは、受信した画像データのプリント処理を実行する際にプリンタエラーが発生した場合に、第１の記憶領域に格納されている所定のファイル形式の画像データを、例えば、ＵＳＢメモリ等の記録媒体を用いて、或いは、ＬＡＮ等を介して情報処理装置（例えば、ＰＣ：パーソナルコンピュータ）へ転送し、所定のファイル形式の画像データを情報処理装置のモニタに表示させることにより、プリンタエラーが直ぐに復旧しない状態でも、情報処理装置で画像データの内容を容易に確認することができる。
【００３３】
請求項２に記載の画像形成装置によれば、受信した画像データのプリント処理を実行する際にプリンタエラーが発生した場合に、所定のファイル形式の画像データが格納された記録媒体を情報処理装置（例えば、ＰＣ）に装着して所定のファイル形式の画像データを情報処理装置のモニタに表示させることにより、プリンタエラーが直ぐに復旧しない状態でも、ユーザが情報処理装置で画像データの内容を容易に確認することができる。
【００３４】
請求項３に記載の画像形成装置によれば、ユーザは、所定のファイル形式の画像データの格納先として第１の記憶領域を選択した場合には、第１の記憶領域に格納されている所定のファイル形式の画像データを、例えばＬＡＮ等のネットワークを介して情報処理装置（例えば、ＰＣ）へ転送して情報処理装置のモニタに表示させることにより、画像データの内容を容易に確認することができる。また、ユーザは、所定のファイル形式の画像データの格納先として記録媒体を選択した場合には、所定のファイル形式の画像データが格納された記録媒体を情報処理装置（例えば、ＰＣ）に装着して所定のファイル形式の画像データを情報処理装置のモニタに表示させることにより、画像データの内容を容易に確認することができる。
【００３５】
請求項４に記載の画像形成装置によれば、記録媒体がＵＳＢメモリであるため、ユーザは、所定のファイル形式に変換された画像データを画像形成装置から容易に取り出すことができる。
【００３６】
請求項５に記載の画像形成装置によれば、プリント処理を正常に行うことができると判定された場合には、受信処理で受信された画像データが所定のファイル形式に変換されることなく第２の記憶領域に格納されるため、所定のファイル形式に変換された画像データを変換前の画像データに逆変換してプリント処理を行うといった無駄な処理が行われることがなく、プリント処理を迅速に行うことができる。
【００３７】
請求項６に記載の画像形成装置によれば、受信処理により受信された画像データに対するプリント処理の開始から終了までの間、所定時間毎に、プリント処理を正常に行うことができるか否かが判定されるため、プリンタエラーが発生した場合に、発生したプリンタエラーを迅速に検出することができる。
【００３８】
請求項７に記載の画像形成装置によれば、受信処理により受信された複数のページからなる画像データのうち、プリント処理を正常に行うことができないページの画像データのみが所定のファイル形式に変換されるため、プリント処理により出力された記録紙から内容を確認できるページの画像データが所定のファイル形式に変換されるといった不要な処理が行われるのを防止することができる。
【００３９】
請求項８に記載の画像形成装置によれば、格納処理手段により、所定のファイル形式に変換された画像データが、転送手段を介して所定のタイミングでクライアント端末装置に格納されるため、プリンタエラーが発生した場合に、プリンタエラーが直ぐに復旧しない状態でも、ユーザは、画像形成装置と通信可能に接続されたクライアント端末装置で画像データの内容を容易に確認することができる。
【００４０】
請求項９に記載の画像形成装置によれば、受信処理で受信された画像データが、特定のアプリケーションソフトウェアを必要とせず、オペレーティングシステムにより処理可能なファイルの形式に変換されるため、ユーザは、オペレーティングシステムがインストールされた任意の情報処理装置で画像データの内容を確認することができる。
【００４１】
請求項１０に記載の画像形成装置によれば、所定のプリンタエラー（例えば、記録紙全体が黒くプリントされる、トナー切れ、プリンタエンジン部分のハード的な故障等、ユーザが容易に対処できない致命的なプリンタエラー）が発生した場合に、ユーザが他の装置で画像データの内容を容易に確認することができる。また、所定のプリンタエラー以外のプリンタエラー（例えば、記録紙のジャム等のユーザが比較的容易に対処できるプリンタエラー）が発生した場合には、画像データは所定のファイル形式に変換されないため、ユーザは、発生したプリンタエラーに対応するトラブル解除操作を行った後に出力された記録紙から画像データの内容を確認することができる。すなわち、プリンタエラーの内容に応じて、他の装置を使って画像データの内容を確認するのか、又は、トラブル解除操作を行って記録紙から画像データの内容を確認するのかを切り替えることができる。
【発明を実施するための最良の形態】
【００４２】
以下、本発明の実施の形態に係る複合機（画像形成装置の実施形態の一例）について、図面に基づき説明する。図１は、本発明の実施の形態に係る複合機の構成例を示したブロック図である。この複合機１は、ファクシミリ受信処理及びインターネットファクシミリ受信処理の少なくとも一方の受信処理と、プリント処理とを実行可能に構成されたものである。
【００４３】
ここでは、複合機１は、ＰＳＴＮ（公衆交換電話網：Ｐｕｂｌｉｃ  Ｓｗｉｔｃｈｅｄ  Ｔｅｌｅｐｈｏｎｅ  Ｎｅｔｗｏｒｋ）２を介して通信可能に接続されたＧ３ファクシミリ装置３から画像データをファクシミリ受信するファクシミリ受信処理、及び、インターネット４を介して通信可能に接続されたインターネットファクシミリ装置５から画像データをインターネットファクシミリ受信するインターネットファクシミリ受信処理を実行可能に構成されている。また、複合機１は、画像データ（例えば、ファクシミリ受信処理又はインターネットファクシミリ受信処理により受信された画像データ）の画像を記録紙に記録するプリント処理を実行可能に構成されている。
【００４４】
この複合機１は、図示するように、制御部（ＣＰＵ：Ｃｅｎｔｒａｌ  Ｐｒｏｃｅｓｓｉｎｇ  Ｕｎｉｔ）７、ＲＯＭ（Ｒｅａｄ  Ｏｎｌｙ  Ｍｅｍｏｒｙ）８、ＲＡＭ（Ｒａｎｄｏｍ  Ａｃｃｅｓｓ  Ｍｅｍｏｒｙ）９、原稿読取部１０、コーデック（ＣＯＤＥＣ：Ｃｏｄｅｒ  ａｎｄ  Ｄｅｃｏｄｅｒ）１１、記録部１２、操作部１３、表示部１４、モデム１５、ＮＣＵ（Ｎｅｔｗｏｒｋ  Ｃｏｎｔｒｏｌ  Ｕｎｉｔ）１６、ＵＳＢ Ｉ／Ｆ（Ｕｎｉｖｅｒｓａｌ  Ｓｅｒｉａｌ  Ｂｕｓ  Ｉｎｔｅｒｆａｃｅ）１７、及び、ＬＡＮ Ｉ／Ｆ（Ｌｏｃａｌ  Ａｒｅａ  ＮｅｔＷｏｒｋ  Ｉｎｔｅｒｆａｃｅ）１８を備えたものであって、各部７乃至１８は、バス１９によって通信可能に接続されている。
【００４５】
制御部７は、ＲＯＭ８に格納されている制御プログラムに従って、この複合機１を構成する各部を制御するものである。ＲＯＭ８は、制御部７によって複合機１の各部が制御されるための各種制御プログラムなどを格納するものである。ＲＡＭ９は、制御部７の主メモリ、ワークエリア等として機能するものであり、ここでは、コーデック１１により符号化された画像データや受信処理により受信された画像データ等も格納する。
【００４６】
原稿読取部１０は、原稿の画像データを読み取るものであり、図示しないが、ＣＣＤカラーラインセンサや光源等の光学系を備えるフラットベッドスキャナ（ＦＢＳ：Ｆｌａｔ  Ｂｅｄ  Ｓｃａｎｎｅｒ）や、自動原稿給送装置（ＡＤＦ：Ａｕｔｏｍａｔｉｃ  Ｄｏｃｕｍｅｎｔ  Ｆｅｅｄｅｒ）等の原稿供給機構等を有して構成されている。
【００４７】
コーデック１１は、画像データを符号化及び復号するものである。具体的には、原稿読取部１０で原稿から読み取られた画像データをＪＰＥＧ、ＭＨ、ＭＲ、ＭＭＲ、ＪＢＩＧ方式等により符号化し、符号化されている画像データを復号する。なお、コーデック１１は、ＪＰＥＧ形式、ＰＤＦ（Ｐｏｒｔａｂｌｅ  Ｄｏｃｕｍｅｎｔ  Ｆｏｒｍａｔ）形式、ＴＩＦＦ（Ｔａｇｇｅｄ  Ｉｍａｇｅ  Ｆｉｌｅ  Ｆｏｒｍａｔ）形式等の画像形式にも対応して画データを符号化、復号する。このコーデック１１により符号化された画像データは、ＲＡＭ９に一時的に格納される。
【００４８】
記録部１２は、ＲＡＭ９から読み出された後にコーデック１１により復号された画像データを記録紙に印刷出力するものであり、原稿読取部１０によって原稿から読み取られた画像データや受信処理により受信された画像データ等のプリント処理を行う。この記録部１２における記録方式としては、例えば、電子写真方式やインクジェット記録方式等の各種の記録方式を用いることができる。
【００４９】
操作部１３は、ユーザが情報を入力するテンキーなどの入力キー、タッチパネル等から構成されており、ユーザによる各種の操作入力は、この操作部１３を介して行われる。表示部１４は、例えば操作部１３に並設された、各種の設定状態や複合機１の動作状態などを文字や図形などで表示する液晶表示装置（ＬＣＤ：Ｌｉｑｕｉｄ  Ｃｒｙｓｔａｌ  Ｄｉｓｐｌａｙ）や、点灯又は消灯で表示するＬＥＤランプ、所定の警告音等を出力するスピーカを備えている。
【００５０】
モデム１５は、例えばＩＴＵ−Ｔ（国際電気通信連合）の勧告Ｖ．３４規格又はこれと同様のものに従った送受信データの変調及び復調を行うものである。ＮＣＵ１６は、電話回線を制御して電話をかけたり、切ったりする回線網制御装置であり、ＰＳＴＮ２を介して、前記Ｇ３ファクシミリ装置３と通信可能に接続されている。
【００５１】
ＵＳＢ Ｉ／Ｆ１７（書込手段に相当する）は、ＵＳＢ（Ｕｎｉｖｅｒｓａｌ  Ｓｅｒｉａｌ  Ｂｕｓ）のホストコントローラ機能を実行するものである。このＵＳＢ Ｉ／Ｆ１７は、ＵＳＢポート（不図示）を備えており、このＵＳＢポートにＵＳＢメモリ２１（記録媒体の一例）を装着自在に構成されており、ＵＳＢメモリ２１が装着（接続）されることによりＵＳＢが形成され、ＵＳＢメモリ２１にデータを書き込むことが可能となる。
【００５２】
また、ＵＳＢ Ｉ／Ｆ１７は、ＵＳＢ Ｉ／Ｆ１７のＵＳＢポートにＵＳＢメモリ２１が装着されているか否かを判断する接続判断手段としても機能する。ＵＳＢ Ｉ／Ｆ１７は、具体的には、ＵＳＢメモリ２１が装着されると、ＵＳＢメモリ２１が接続されたことを電気的に検出することにより、ＵＳＢメモリ２１が装着されたと判断する。そして、接続先デバイスであるＵＳＢメモリ２１との間でネゴシエーションを行って同ＵＳＢメモリ２１の識別情報等を取得し、ＵＳＢメモリ２１へのデータの書き込み又はＵＳＢメモリ２１からのデータの読み出しを行う。
【００５３】
ＬＡＮ Ｉ／Ｆ１８（転送手段に相当する）は、ＬＡＮ（Ｌｏｃａｌ  Ａｒｅａ  Ｎｅｔｗｏｒｋ）２２と複合機１とを通信可能に接続するものである。このＬＡＮ２２には、メールサーバ２３とルータ２４が接続されるとともに、ルータ２４及びインターネット４を介してインターネットファクシミリ装置５が接続されている。また、ＬＡＮ２２には、クライアントＰＣ２５（クライアント端末装置に相当する）が接続されており、クライアントＰＣ２５から複合機１が有する各種機能を利用することができるようになっている。すなわち、ＬＡＮ Ｉ／Ｆ１８は、クライアントＰＣ２５と通信可能に接続され、クライアントＰＣ２５へデータを転送可能に構成されている。
【００５４】
クライアントＰＣ２５は、例えば、パーソナルコンピュータ等からなり、マウス、キーボード等を介してユーザからの操作入力を受け付けて、ＬＡＮ２２を介して複合機１への操作入力を伝送するとともに、複合機１からＬＡＮ２２を介して受信した画像データを視認可能にモニタに表示するものである。
【００５５】
図２は、本発明の主要部の一例を示す機能構成図である。複合機１の制御部７は、機能的に、受信部７ａ、判定部７ｂ、プリント実行部７ｃ、画像変換部７ｄ、領域設定部７ｅ、及び、格納処理部７ｆを備えており、ＲＡＭ９には、画像データを格納する記憶領域として、第１の記憶領域９ａ及び第２の記憶領域９ｂの２つの記憶領域が設けられている。
【００５６】
ここでは、制御部７が、ＲＯＭ８等に予め格納されている制御プログラムを読み出して実行することにより、受信部７ａ、判定部７ｂ、プリント実行部７ｃ、画像変換部７ｄ、領域設定部７ｅ、及び、格納処理部７ｆを含む機能部として機能する。
【００５７】
受信部７ａは、ファクシミリ受信処理及びインターネットファクシミリ受信処理の２つの受信処理を行うものである。受信部７ａは、具体的には、ＰＳＴＮ２を介してＧ３ファクシミリ装置３から送信された画像データをファクシミリ受信するファクシミリ受信処理と、インターネット４を介してインターネットファクシミリ装置５から送信された画像データをインターネットファクシミリ受信するインターネットファクシミリ受信処理とを行う。なお、受信部７ａが行う受信処理によって受信された画像データは、プリント処理を正常に行うことができる場合、すなわち、プリンタエラーが発生していない場合には、ここでは、ファクシミリ専用形式（例えば、ＭＭＲ方式やＭＲ方式）でＲＡＭ９の第２の記憶領域９ｂに格納される。
【００５８】
判定部７ｂ（判定手段に相当する）は、受信処理により受信された画像データに対してプリント処理を正常に行うことができるか否かを判定するものである。判定部７ｂは、ここでは、受信処理により受信された画像データに対するプリント処理の開始から終了までの間、所定時間毎に、プリント処理を正常に行うことができるか否かを判定する。判定部７ｂは、具体的には、受信部７ａの受信処理により受信された画像データに対してプリント実行部７ｃが実行するプリント処理の開始から終了までの間、例えば、０．１秒毎に、プリント実行部７ｃがプリント処理を正常に行うことができるか否かを判定する。したがって、プリンタエラーが発生した場合に、発生したプリンタエラーを迅速に検出することができる。なお、このプリント処理を正常に行うことができるか否かの判定は、プリント処理開始前（受信部７ａによって受信処理が開始されてから実際にプリント処理が開始されるまで）と、プリント処理実行中の両方で行われる。
【００５９】
プリント実行部７ｃは、受信処理により受信された画像データに対してプリント処理を実行するものである。すなわち、プリント実行部７ｃは、受信部７ａの受信処理により受信された画像データを記録部１２へ出力し、記録部１２を制御して受信された画像データの画像を記録紙に記録するプリント処理を実行する。なお、受信処理により受信された画像データは、プリント処理を正常に行うことができる場合、ＲＡＭ９の第２の記憶領域９ｂに一旦格納され、第２の記憶領域９ｂから読み出されてコーデック１１によって復号された後、記録部１２へと出力されてプリント処理される。
【００６０】
画像変換部７ｄ（画像変換手段に相当する）は、プリント処理を正常に行うことができないと判定部７ｂによって判定された場合に、受信処理により受信された画像データ（例えば、ＭＭＲ方式で符号化された画像データ）を予め設定された所定のファイル形式に変換するものである。ここで、所定のファイル形式は、特定のアプリケーションソフトウェアを必要とせず、情報処理装置（ここでは、クライアントＰＣ２５）のオペレーティングシステムにより処理可能なファイルの形式であり、本実施形態においては、ＸＰＳ（ＸＭＬ  Ｐａｐｅｒ  Ｓｐｅｃｉｆｉｃａｔｉｏｎ）形式である。
【００６１】
ＸＰＳ形式は、Ｍｉｃｒｏｓｏｆｔ社が開発中の次期ＯＳ（Ｏｐｅｒａｔｉｎｇ  Ｓｙｓｔｅｍ）であるＷｉｎｄｏｗｓＶｉｓｔａ（登録商標）の標準ファイルフォーマットであって、ＷｉｎｄｏｗｓＶｉｓｔａがインストールされた装置（ここでは、クライアントＰＣ２５）においては、如何なるアプリケーションソフトウェア（ブラウザ等）も介さずに、ファイルを開くことが可能とされている。従って、クライアントＰＣ２５に、ＷｉｎｄｏｗｓＶｉｓｔａがインストールされている場合には、ＸＰＳ形式のファイルを読み出すためのアプリケーションソフトウェアをインストールする必要はない。なお、本実施形態においては、クライアントＰＣ２５には、ＷｉｎｄｏｗｓＶｉｓｔａがインストールされており、ＸＰＳ形式の画像データをクライアントＰＣ２５のメモリに格納した場合、ＸＰＳ形式の画像データは、クライアントＰＣ２５において特定のアプリケーションソフトウェアをインストールすることなく処理（例えば、モニタに表示）することが可能である。
【００６２】
なお、画像変換部７ｄは、受信部７ａの受信処理により受信された画像データが複数のページからなる画像データであるとき、受信された画像データのプリント処理がプリント実行部７ｃによって開始された後に、プリント処理を正常に行うことができないと判定部７ｂによって判定された場合に、プリント処理を正常に行うことができないと判定部７ｂによって判定された時点でプリント処理中のページ以降の画像データを所定のファイル形式（ここでは、ＸＰＳ形式）に変換する。例えば、受信処理により受信された画像データが１０ページからなる画像データであり、６ページ目の画像データのプリント処理中にプリント処理を正常に行うことができないと判定部７ｂによって判定された場合、６ページ目以降の画像データ、すなわち、６〜１０ページの画像データをＸＰＳ形式に変換する。
【００６３】
また、画像変換部７ｄは、ここでは、プリント処理を正常に行うことができないと判定部７ｂによって判定され、且つ、そのプリント処理を正常に行うことができない状態が所定のプリンタエラーに該当する場合に、画像データを所定のファイル形式（ここでは、ＸＰＳ形式）に変換する。画像変換部７ｄは、具体的には、プリント処理を正常に行うことができないと判定部７ｂによって判定され、且つ、そのプリント処理を正常に行うことができない状態が致命的なプリンタエラーである場合に、画像データをＸＰＳ形式に変換する。一方、プリント処理を正常に行うことができると判定部７ｂによって判定された場合、又は、プリント処理を正常に行うことができないと判定部７ｂによって判定され、且つ、そのプリント処理を正常に行うことができない状態が致命的なプリンタエラーではない場合には、画像変換部７ｄによる画像データの変換処理は行われない。
【００６４】
領域設定部７ｅ（設定手段に相当する）は、受信処理により受信された画像データの格納先を設定するものである。領域設定部７ｅは、受信処理により受信された画像データに対してプリント実行部７ｃがプリント処理を実行する際に、プリント処理を正常に行うことができると判定部７ｂによって判定されている場合、受信処理により受信された画像データの格納先として、ＲＡＭ９の第２の記憶領域９ｂを設定する。なお、プリント処理を正常に行うことができると判定されている場合、受信処理により受信された画像データは、画像変換部７ｄによって所定のファイル形式に変換されることなく、格納処理部７ｆによって第２の記憶領域９ｂに格納されるようになっている。
【００６５】
また、領域設定部７ｅは、外部からの操作入力を受け付け、受け付けた操作入力に基づいて、所定のファイル形式に変換された画像データの格納先を設定する。すなわち、領域設定部７ｅは、受信処理により受信された画像データに対してプリント実行部７ｃがプリント処理を実行する際に、プリント処理を正常に行うことができないと判定部７ｂによって判定された場合、操作部１３を介した外部からの操作入力を受け付け、受け付けた操作入力に基づいて、ＸＰＳ形式に変換された画像データの格納先として、ＲＡＭ９の第１の記憶領域９ａ又はＵＳＢメモリ２１を設定する。
【００６６】
領域設定部７ｅは、具体的には、表示部１４の液晶表示装置と一体に形成された操作部１３のタッチパネルからのユーザによる選択入力を受け付けて、受け付けた選択入力に基づいて、画像変換部７ｄによって所定のファイル形式（ここでは、ＸＰＳ形式）に変換された画像データの格納先として、ＲＡＭ９の第１の記憶領域９ａ、又は、ＵＳＢ Ｉ／Ｆ１７のＵＳＢポートに装着されたＵＳＢメモリ２１のいずれかを設定する。なお、本実施形態においては、ＸＰＳ形式の画像データを視認可能に表示する情報処理装置として、クライアントＰＣ２５が複合機１と通信可能に接続されており、操作部１３からの選択入力に基づいて、ＸＰＳ形式の画像データの格納先として、第１の記憶領域９ａ及びＵＳＢメモリ２１の他に、クライアントＰＣ２５を設定することも可能である。
【００６７】
格納処理部７ｆ（格納処理手段に相当する）は、画像データを領域設定部７ｅによって設定された格納先に格納するものである。格納処理部７ｆは、プリント処理を正常に行うことができると判定部７ｂによって判定された場合に、受信処理により受信された画像データを第２の記憶領域９ｂに格納する。すなわち、プリント処理を正常に行うことができると判定部７ｂによって判定されている間、受信処理により受信された画像データをＸＰＳ形式に変換する処理が行われないため、格納処理部７ｆは、受信処理により受信されＸＰＳ形式に変換されていない画像データをＲＡＭ９の第２の記憶領域９ｂに格納する。ここで、第２の記憶領域９ｂに格納される画像データは、その画像データがファクシミリ受信処理により受信された画像データである場合、その画像データはファクシミリ専用形式の画像データであり、具体的には、ＭＭＲ方式やＭＲ方式等で符号化された画像データである。そして、この第２の記憶領域９ｂに格納された画像データは、プリント実行部７ｃによって読み出されてコーデック１１により復号された後、記録部１２においてプリント処理される。
【００６８】
このように、プリント処理を正常に行うことができると判定された場合には、受信処理で受信された画像データがＸＰＳ形式に変換されることなくファクシミリ専用形式で第２の記憶領域９ｂに格納されるため、ＸＰＳ形式に変換された画像データを変換前の画像データに逆変換してプリント処理を行うといった無駄な処理が行われることがなく、プリント実行部７ｃによるプリント処理を迅速に行うことができる。
【００６９】
また、格納処理部７ｆは、画像変換部７ｄにより所定のファイル形式に変換された画像データをＲＡＭ９の第１の記憶領域９ａに格納する処理や、ＵＳＢ Ｉ／Ｆ１７のＵＳＢポートにＵＳＢメモリ２１が装着されているとＵＳＢ Ｉ／Ｆ１７によって判断された場合に、所定のファイル形式に変換された画像データをＵＳＢ Ｉ／Ｆ１７によりＵＳＢメモリ２１に格納する処理を行う。すなわち、格納処理部７ｆは、ここでは、ＵＳＢ Ｉ／Ｆ１７のＵＳＢポートにＵＳＢメモリ２１が装着されているとＵＳＢ Ｉ／Ｆ１７によって判断された場合に、領域設定部７ｅによる設定に基づいて、ＸＰＳ形式に変換された画像データをＲＡＭ９の第１の記憶領域９ａに格納する処理、又は、ＸＰＳ形式に変換された画像データをＵＳＢ Ｉ／Ｆ１７によりＵＳＢメモリ２１に格納する処理を行う。なお、本実施形態においては、ＸＰＳ形式に変換された画像データの格納先として、領域設定部７ｅによってクライアントＰＣ２５が設定される場合があるため、その場合、格納処理部７ｆは、所定のタイミングで（例えば、操作部１３からの所定の操作入力が行われた時点で）、所定のファイル形式（ここでは、ＸＰＳ形式）に変換された画像データをＵＳＢ Ｉ／Ｆ１７によりクライアントＰＣ２５に格納する処理を行う。言い換えれば、ＸＰＳ形式の画像データをクライアントＰＣ２５へ転送する処理を行う。
【００７０】
以下、Ｇ３ファクシミリ装置３又はインターネットファクシミリ装置５から送信された画像データの受信処理を開始した場合に、複合機１において行われる処理動作について、図３及び図４に示すフローチャートに基づいて説明する。まず、受信部７ａは、Ｇ３ファクシミリ装置３又はインターネットファクシミリ装置５から送信された画像データの受信処理を開始したか否かを判断する（Ｓ１）。ここで、画像データの受信処理を開始していないと判断した場合には（Ｓ１：ＮＯ）、待機状態となる。逆に、画像データの受信処理を開始したと判断した場合（Ｓ１：ＹＥＳ）、格納処理部７ｆは、受信部７ａの受信処理により受信された画像データをＲＡＭ９の第２の記憶領域９ｂに格納する処理を開始する（Ｓ２）。
【００７１】
そして、プリント処理が開始される前に、判定部７ｂは、受信部７ａの受信処理により受信された画像データのプリント処理をプリント実行部７ｃが正常に行うことができるか否かを判定する（Ｓ３）。ここで、プリント処理を正常に行うことができると判定した場合（Ｓ３：ＹＥＳ）、プリント実行部７ｃは、１ページのプリント処理を開始する（Ｓ４）。具体的には、プリント実行部７ｃは、受信部７ａによって受信された後に格納処理部７ｆによってＲＡＭ９の第２の記憶領域９ｂに格納された画像データを読み出してコーデック１１により復号し、復号した画像データを記録部１２へ出力して受信された１ページの画像データの画像を記録紙に記録するプリント処理を開始する。
【００７２】
続いて、判定部７ｂは、プリント実行部７ｃによるプリント処理が開始されると、プリント処理を正常に行うことができるか否かの判定、すなわち、プリンタエラーが発生したか否かの判定を行う（Ｓ５）。ここで、プリンタエラーが発生していない（プリント処理を正常に行うことができる）と判定した場合には（Ｓ５：ＮＯ）、判定部７ｂは、プリント実行部７ｃによる１ページのプリント処理が完了したか否かを判定し（Ｓ６）、１ページのプリント処理が完了していないと判定した場合には（Ｓ６：ＮＯ）、Ｓ５の処理動作を再度行う。このように、プリント処理を正常に行うことができるか否かを判定する判定部７ｂの処理は、受信処理により受信された画像データに対するプリント処理の開始から終了までの間、所定時間毎に行われる。そして、判定部７ｂは、Ｓ５においてプリンタエラーが発生していないと判定し（Ｓ５で「ＮＯ」）、１ページのプリント処理が完了したと判定した場合（Ｓ６：ＹＥＳ）、次ページの画像データがあるか否かを判定する（Ｓ７）。ここで、次ページの画像データがあると判定した場合には（Ｓ７：ＹＥＳ）、その次ページの画像データに対して、上記したようなＳ４以降の処理動作が行われる。逆に、次ページの画像データがないと判定した場合（Ｓ７：ＮＯ）、プリント処理が完了したものとして処理が終了する。
【００７３】
判定部７ｂは、Ｓ３において（プリント処理を開始する前において）プリント処理を正常に行うことができないと判定した場合（Ｓ３：ＮＯ）、又は、プリント処理中にプリント処理を正常に行うことができないと判定した場合（Ｓ５：ＹＥＳ）、発生しているプリンタエラーが所定のプリンタエラーか否かを判定する（Ｓ８）。ここで、複合機１において発生するプリンタエラーは、致命的なプリンタエラー（所定のプリンタエラー）と致命的ではないプリンタエラーとに予め分類されており、発生したプリンタエラーがどちらに分類されているものであるかが判定部７ｂによって判定される。なお、致命的なエラーは、ユーザが容易に対処できないプリンタエラーであり、例えば、記録紙全体が黒くプリントされるといったプリンタエラーや、トナー切れ、プリンタエンジン部分のハード的故障等が挙げられる。また、致命的ではないエラーは、ユーザが比較的容易に対処できるプリンタエラーであり、例えば、記録紙のジャムが挙げられる。また、どのようなプリンタエラーを致命的なエラーとするかは、予めプログラムにより規定しておいてもよいし、ユーザが操作部１３を介して任意に設定変更できるようにしてもよい。
【００７４】
判定部７ｂは、Ｓ８において、発生したプリンタエラーが所定のプリンタエラー（致命的なプリンタエラー）ではないと判定した場合（Ｓ８：ＮＯ）、すなわち、プリント処理を正常に行うことができないと判定した後、更に、そのプリント処理を正常に行うことができない状態が所定のプリンタエラーに該当しないと判定した場合、他のプリンタエラー（致命的ではないプリンタエラー）を解除するためのトラブル解除操作を促す情報を報知する（Ｓ９）。具体的には、表示部１４の液晶表示装置に、「用紙カセットを引き出して詰まっている用紙を取り除いて下さい」等のメッセージを表示させるとともに、スピーカから所定の警告音を出力する。
【００７５】
そして、判定部７ｂは、他のプリンタエラーが解除されたか否かを判定し（Ｓ１０）、他のプリンタエラーが解除されるまでＳ９の処理動作を継続して行う。ここで、ユーザのトラブル解除操作により、他のプリンタエラーが解除されたと判定した場合には（Ｓ１０：ＹＥＳ）、Ｓ４以降の処理動作が行われる。なお、１ページのプリント処理を実行中にプリンタエラーが発生した場合、すなわち、Ｓ５で「ＹＥＳ」の判定がなされた場合には、このＳ４の処理動作は、プリンタエラーが発生した時点でプリント処理中であったページ以降の画像データに対して行われる。
【００７６】
一方、判定部７ｂは、発生したプリンタエラーが所定のプリンタエラー（致命的なプリンタエラー）であると判定した場合（Ｓ８：ＹＥＳ）、すなわち、プリント処理を正常に行うことができないと判定した後、更に、そのプリント処理を正常に行うことができない状態が所定のプリンタエラーに該当する場合に、画像変換部７ｄは、受信部７ａの受信処理により受信された画像データを所定のファイル形式（ここでは、ＸＰＳ形式）に変換する（Ｓ１１）。ここで、受信処理により受信された画像データが複数のページからなる画像データである場合には、画像変換部７ｄは、プリント処理を正常に行うことができない（プリンタエラーが発生した）と判定部７ｂによって判定された時点でプリント処理中のページ以降の画像データをＸＰＳ形式に変換する。したがって、例えば、受信処理を開始する前にプリンタエラーが発生していると判定された場合（Ｓ３で「ＮＯ」と判定された場合）や、受信処理により受信された画像データの１ページ目の画像データをプリント処理中にプリンタエラーが発生したと判定部７ｂによって判定された場合には、全ページの画像データがＸＰＳ形式に変換される。
【００７７】
続いて、領域設定部７ｅは、所定のプリンタエラーの発生を通知する情報及び格納先の選択を促す情報を報知する（Ｓ１２）。具体的には、表示部１４のスピーカから所定の警告音を出力するとともに、表示部１４の液晶表示装置に、例えば「サービスセンタにご連絡下さい」、「受信原稿の格納先を選択して下さい」等のメッセージを表示させる。そして、操作部１３からの所定の操作入力により、格納先が選択されたか否かを判断する（Ｓ１３）。ここで、格納先が選択されていないと判断した場合には（Ｓ１３：ＮＯ）、Ｓ１２の処理動作を継続して行う。逆に、格納先が選択されたと判断した場合には（Ｓ１３：ＹＥＳ）、選択された格納先が本体メモリ（第１の記憶領域９ａ）であるか、又は、ＵＳＢメモリ２１であるかを判断する（Ｓ１４）。そして、領域設定部７ｅは、所定のファイル形式（ここでは、ＸＰＳ形式）に変換された画像データの格納先をＳ１４の処理動作に基づいて設定する。
【００７８】
格納処理部７ｆは、領域設定部７ｅによって設定された転送先が本体メモリである場合（Ｓ１４：本体メモリ）、所定のファイル形式の画像データを第１の記憶領域９ａに格納する（Ｓ１５）。すなわち、画像変換部７ｄによってＸＰＳ形式に変換された画像データをＲＡＭ９の第１の記憶領域９ａに格納する。そして、領域設定部７ｅは、画像データの転送処理を指示する操作部１３からの所定操作を促す情報を報知する（Ｓ１６）。具体的には、「メモリに蓄積された受信原稿を転送して確認して下さい」等のメッセージを表示部１４の液晶表示装置に表示させる。次いで、領域設定部７ｅは、所定操作が行われたか否かを判断する（Ｓ１７）。ここで、所定操作が行われていないと判断した場合には（Ｓ１７：ＮＯ）、Ｓ１６の処理動作を継続して行う。逆に、第１の記憶領域９ａに格納された所定形式（ここでは、ＸＰＳ形式）の画像データをクライアントＰＣ２５へ転送する処理を指示する所定操作が操作部１３を介して行われたと判断した場合（Ｓ１７：ＹＥＳ）、格納処理部７ｆは、所定のファイル形式の画像データをＲＡＭ９の第１の記憶領域９ａから読み出し、読み出された所定のファイル形式の画像データをＬＡＮ Ｉ／Ｆ１８によりクライアントＰＣ２５に格納する（Ｓ１８）。そして、領域設定部７ｅは、所定のファイル形式の画像データがクライアントＰＣ２５へ転送された後、クライアントＰＣ２５において内容確認することを促す情報を報知する（Ｓ１９）。具体的には、例えば「端末装置へ転送された受信原稿を確認して下さい」等のメッセージを表示部１４の液晶表示装置に表示させる。
【００７９】
この場合、格納処理部７ｆにより、ＸＰＳ形式に変換された画像データが、クライアントＰＣ２５へ転送する処理を指示する所定操作が行われた時点でクライアントＰＣ２５に格納され、クライアントＰＣ２５のモニタには、複合機１から転送されたＸＰＳ形式の画像データが視認可能に表示される。そのため、プリンタエラー（ここでは、致命的なプリンタエラー）が発生した場合に、プリンタエラーが直ぐに復旧しない状態でも、ユーザは、複合機１と通信可能に接続されたクライアントＰＣ２５で画像データの内容を容易に確認することができる。
【００８０】
なお、受信処理で受信された画像データは、特定のアプリケーションソフトウェアを必要とせず、クライアントＰＣ２５のオペレーティングシステムにより処理可能なＸＰＳ形式の画像データであるため、ユーザは、オペレーティングシステムがインストールされた任意のクライアントＰＣ２５にＸＰＳ形式の画像データを格納（転送）させて画像データの内容を確認することができる。
【００８１】
一方、設定された格納先がＵＳＢメモリ２１である場合（Ｓ１４：ＵＳＢメモリ）、領域設定部７ｅは、ＵＳＢメモリ２１の装着を促す情報を報知する（Ｓ２０）。具体的には、例えば「ＵＳＢメモリを接続して下さい」等のメッセージを表示部１４の液晶表示装置に表示させる。そして、ＵＳＢ Ｉ／Ｆ１７は、ＵＳＢポートにＵＳＢメモリ２１が装着されているか否かを判断し（Ｓ２１）、ＵＳＢメモリ２１が装着されていないと判断した場合には（Ｓ２１：ＮＯ）、Ｓ２０の処理動作が継続して行われる。逆に、ＵＳＢメモリ２１が装着されていると判断した場合（Ｓ２１：ＹＥＳ）、格納処理部７ｆは、画像変換部７ｄによって所定のファイル形式（ここでは、ＸＰＳ形式）に変換された画像データをＵＳＢ Ｉ／Ｆ１７によりＵＳＢメモリ２１に格納する（Ｓ２２）。そして、領域設定部７ｅは、ＸＰＳ形式の画像データが格納されたＵＳＢメモリ２１をクライアントＰＣ２５に装着して内容確認することを促す情報を報知する（Ｓ２３）。具体的には、例えば「ＵＳＢメモリを端末装置に接続して受信原稿を確認して下さい」等のメッセージを表示部１４の液晶表示装置に表示させる。
【００８２】
以上の説明から明らかなように、本発明に係る複合機１によれば、ユーザは、所定のファイル形式（本実施形態においては、ＸＰＳ形式）の画像データの格納先として第１の記憶領域９ａを選択した場合には、第１の記憶領域９ａに格納されているＸＰＳ形式の画像データを、ＬＡＮ２２を介してクライアントＰＣ２５へ転送してクライアントＰＣ２５のモニタに表示させることにより、画像データの内容を容易に確認することができる。また、ユーザは、ＸＰＳ形式の画像データの格納先としてＵＳＢメモリ２１を選択した場合には、ＸＰＳ形式の画像データが格納されたＵＳＢメモリ２１をクライアントＰＣ２５に装着してＸＰＳ形式の画像データをクライアントＰＣ２５のモニタに表示させることにより、画像データの内容を容易に確認することができる。したがって、受信した画像データのプリント処理を実行する際にプリンタエラーが発生した場合に、プリンタエラーが直ぐに復旧しない状態でも、ユーザが情報処理装置（ここでは、クライアントＰＣ２５）で画像データの内容を容易に確認することができる。
【００８３】
また、所定のファイル形式（ここでは、ＸＰＳ形式）の画像データが格納される記録媒体がＵＳＢメモリ２１であるため、ユーザは、ＸＰＳ形式に変換された画像データを複合機１から容易に取り出すことができる。
【００８４】
また、受信処理により受信された画像データが複数のページからなる画像データである場合、複数のページからなる画像データのうち、プリント処理を正常に行うことができないページの画像データのみがＸＰＳ形式に変換されるため、プリント処理により出力された記録紙から内容を確認できるページの画像データがＸＰＳ形式に変換されるといった不要な処理が行われるのを防止することができる。
【００８５】
また、所定のプリンタエラー（ここでは、致命的なプリンタエラー）が発生した場合には画像データがＸＰＳ形式に変換され、所定のプリンタエラーが発生していない場合（プリンタエラーが発生しているものの所定のプリンタエラーではない場合）には画像データはＸＰＳ形式に変換されない。そのため、ユーザがクライアントＰＣ２５を使用して画像データの内容を確認するか、或いは、プリンタエラーを解消するためのトラブル解除操作を行った後に出力された記録紙から画像データの内容を確認するかを、プリンタエラーの内容に応じて切り替えることができる。
【００８６】
なお、本発明は、上記実施形態に限定されるものではなく、以下の形態であってもよい。すなわち、本実施形態においては、外部からの操作入力を受け付け、受け付けた操作入力に基づいて、所定のファイル形式（ここでは、ＸＰＳ形式）に変換された画像データの格納先として、第１の記憶領域９ａ、ＵＳＢメモリ２１、及び、クライアントＰＣ２５のいずれかが設定される形態について説明したが、ＸＰＳ形式に変換された画像データの格納先が自動的に設定される形態でもよい。すなわち、ＵＳＢメモリ２１がＵＳＢ Ｉ／Ｆ１７のＵＳＢポートに接続されている場合には、外部からの操作入力を受け付けることなく、ＸＰＳ形式に変換された画像データをＵＳＢメモリ２１に格納したり、また、クライアントＰＣ２５と通信可能に接続されている場合に、外部からの操作入力を受け付けることなく、ＸＰＳ形式に変換された画像データをクライアントＰＣ２５に格納（転送）するようにしてもよい。さらに、ＵＳＢメモリ２１が装着されているか否かに関わらず、ＸＰＳ形式に変換された画像データをＲＡＭ９の第１の記憶領域９ａに格納するようにしてもよい。
【００８７】
また、本実施形態においては、所定のファイル形式（ここでは、ＸＰＳ形式）の画像データを視認可能に表示する情報処理装置であるクライアントＰＣ２５が、複合機１と通信可能に接続された複合機１のクライアント端末装置である形態について説明したが、ＸＰＳ形式の画像データをＵＳＢメモリ２１等によりクライアントＰＣ２５へ転送可能である場合には、クライアントＰＣ２５は、複合機１と通信可能に接続されていないスタンドアローンの情報処理装置であってもよい。
【００８８】
また、本実施形態においては、複合機１に装着される記録媒体がＵＳＢメモリ２１である形態について説明したが、複合機１に装着される記録媒体は、可搬型の記録媒体であれば特に限定されるものではなく、他の記録媒体であってもよい。
【００８９】
また、本実施形態においては、受信処理により受信された画像データが複数のページからなる画像データであり、プリント処理が開始された後にプリント処理を正常に行うことができないと判定された場合（プリント処理中にプリンタエラーが発生した場合）に、プリント処理を正常に行うことができないと判定された時点でプリント処理中のページ以降の画像データをＸＰＳ形式に変換する形態について説明したが、正常にプリント処理を行うことができたページも含めて、１回の受信処理により受信された全ページの画像データをＸＰＳ形式に変換するようにしてもよい。
【００９０】
また、本実施形態においては、プリント処理を正常に行うことができないと判定された際、すなわち、プリンタエラーが発生した際に、発生したプリンタエラーがユーザの対処できない致命的なエラーでなければ、受信処理により受信された画像データがＸＰＳ形式に変換されない形態について説明したが、プリンタエラーが発生した場合に、発生したプリンタエラーの内容に関わらず、受信処理により受信された画像データがＸＰＳ形式に変換されるようにしてもよい。すなわち、図３及び図４において、Ｓ３で「ＮＯ」の判定がなされた場合、或いは、Ｓ５で「ＹＥＳ」の判定がなされた場合に、Ｓ８〜Ｓ１０の処理動作を行うことなく、処理動作がＳ１１へ進められるようにしてもよい。
【００９１】
また、本実施形態においては、所定のファイル形式がＸＰＳ形式である場合について説明したが、その他のファイル形式である形態でもよい。例えば、所定のファイル形式がＪＰＧ形式、テキスト形式等の特定の形式である形態でもよい。ただし、これらの場合には、複合機１に、所定のファイル形式の画像データを開くためのアプリケーションソフトウェアをインストールする必要がある。
【００９２】
また、本実施形態においては、本発明に係る画像形成装置が、プリント処理とともにファクシミリ受信処理及びインターネットファクシミリ受信処理を実行可能な複合機１である形態について説明したが、本発明に係る画像形成装置は、ファクシミリ受信処理及びインターネットファクシミリ受信処理の少なくとも一方と、プリント処理とを実行可能なものであればこれに限定されるものではなく、例えば、ファクシミリ装置やインターネットファクシミリ装置であってもよい。
【産業上の利用可能性】
【００９３】
本発明は、例えば、ファクシミリ受信処理及びインターネットファクシミリ受信処理の少なくとも一方の受信処理と、プリント処理とを実行可能に構成された画像形成装置に適用可能である。
【図面の簡単な説明】
【００９４】
【図１】本発明の実施の形態に係る複合機の構成例を示した構成図である。
【図２】本発明の主要部の一例を示す機能構成図である。
【図３】画像データの受信処理を開始した場合に、複合機において行われる動作を例示したフローチャートである。
【図４】画像データの受信処理を開始した場合に、複合機において行われる動作を例示したフローチャートである。
【符号の説明】
【００９５】
１    複合機（画像形成装置）
７    制御部
７ａ    受信部
７ｂ    判定部（判定手段）
７ｃ    プリント実行部
７ｄ    画像変換部（画像変換手段）
７ｅ    領域設定部（設定手段）
７ｆ    格納処理部（格納処理手段）
８    ＲＯＭ
９    ＲＡＭ
９ａ    第１の記憶領域
９ｂ    第２の記憶領域
１２    記録部
１３    操作部
１４    表示部
１７    ＵＳＢ Ｉ／Ｆ（書込手段、接続判断手段）
１８    ＬＡＮ Ｉ／Ｆ（転送手段）
２１    ＵＳＢメモリ（記録媒体）
２５    クライアントＰＣ（クライアント端末装置）
【図１】
2007208475.tif 000003
【図２】
2007208475.tif 000004
【図３】
2007208475.tif 000005
【図４】
2007208475.tif 000006